(57)【要約】【課題】導光設備が結合される浴室ユニットであって、洗い場にいる入浴者の作業性を向上させることができる浴室ユニットを提供する。【解決手段】屋外から光を導入する光ダクト１０２が結合される浴室ユニット１において、光ダクト１０２により導入された光を浴室ユニット１内に放光する放光口１１は、浴室ユニット１の天井４における浴槽２の足側の端部に設けられている。一方、浴室ユニット１の側壁のうち、浴槽２の足側の面１４には、鏡１５が取り付けられている。これにより、光ダクト１０２により導入された光は、放光口１１を介して、洗い場３で鏡１５に向かっている入浴者の正面に向けて照射される。【選択図】図２
2008082087.tif 000002
【特許請求の範囲】
【請求項１】
屋外から光を導入する導光設備が結合される浴室ユニットであって、
前記導光設備により導入された光を前記浴室ユニット内に放光する放光口は、前記浴室ユニットの天井における浴槽の足側の端部に設けられていることを特徴とする浴室ユニット。
【請求項２】
前記浴室ユニットの側壁に取り付けられた鏡をさらに備え、
前記鏡は、前記側壁における前記浴槽の足側の面に取り付けられていることを特徴とする請求項１記載の浴室ユニット。
【請求項３】
前記浴室ユニットの天井における前記浴槽の足側の端縁に沿って延び、前記放光口に光学的に結合され、内部が中空であり、内面が光反射面とされ、前記放光口を介して導入された光を放光する副放光口が形成された横引ダクトをさらに備えたことを特徴とする請求項１または２に記載の浴室ユニット。
【請求項４】
前記横引ダクトの長手方向に直交する断面の形状は、扇形であることを特徴とする請求項３記載の浴室ユニット。
【請求項５】
前記副放光口は、前記横引ダクトの長手方向に沿って複数個形成されており、各副放光口には遮光シャッタが開閉自在に設けられていることを特徴とする請求項３または４に記載の浴室ユニット。
【請求項６】
前記副放光口は、前記横引ダクトの長手方向に沿って延びていることを特徴とする請求項３または４に記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、浴槽側に設けられることになる。
【０００４】
このように、特許文献１に記載の技術によれば、放光口が浴槽側に配置されるため、洗い場で身体などを洗っている入浴者を十分に照明することができず、入浴者の作業性を十分に向上させることができない。
【０００５】
【特許文献１】実開昭６０−０３３２４０号公報
【発明の開示】
【発明が解決しようとする課題】
【０００６】
本発明の目的は、導光設備が結合される浴室ユニットであって、洗い場にいる入浴者の作業性を向上させることができる浴室ユニットを提供することである。
【課題を解決するための手段】
【０００７】
本発明の一態様によれば、屋外から光を導入する導光設備が結合される浴室ユニットであって、前記導光設備により導入された光を前記浴室ユニット内に放光する放光口は、前記浴室ユニットの天井における浴槽の足側の端部に設けられていることを特徴とする浴室ユニットが提供される。
【発明の効果】
【０００８】
本発明によれば、導光設備が結合され、洗い場にいる入浴者の作業性を向上させることができる浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、本実施形態に係る浴室ユニットを例示する斜視図であり、  
図３は、この浴室ユニットを例示する上面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１に結合されている。採光部１０３は、透明板からなるドームによって覆われており、砂や埃は通過させないが光は透過させる。光ダクト１０２の内部は中空であり、その内面は光反射面とされている。これにより、光ダクト１０２は、住宅１０１の外部から採光部１０３を介して導入された外光Ｌを、その内面において反射しつつ導光して、浴室ユニット１の内部まで導入する。
【００１１】
図１乃至図３に示すように、浴室ユニット１においては、床の一方の側に浴槽２が設けられており、他方の側が洗い場３となっている。浴室ユニット１の天井４における浴槽２側の領域には排気口５が設けられており、天井４上には、この排気口５に連通されるように排気フィン６が設けられている。排気フィン６は、住宅１０１に配設された排気管１０４に接続されている。これにより、排気口５は、排気フィン６及び排気管１０４を介して住宅１０１の外部に連通されている。また、天井４における洗い場３側の領域には、点検口７が設けられている。点検口７は、浴室ユニット１の天井４上に設けられた機能部材、たとえば、排気フィン６などを点検するための開口部であり、点検時に作業者が上半身を乗り出せる程度の大きさとされている。点検口７には点検口蓋８が着脱可能に設けられており、非点検時には点検口蓋８によって塞がれている。
【００１２】
そして、天井４における浴槽２の足側の端部、例えば、天井４における浴槽２の足側であって、浴槽２から遠い側の角部には、光ダクト１０２に光学的に結合された開口部が形成されており、放光口１１となっている。放光口１１は、光ダクト１０２により導入された外光Ｌを浴室ユニット１内に放光するものであり、放光口１１には、例えば透明な樹脂からなる透光板１２が気密的にはめ込まれている。
【００１３】
なお、浴槽の「足側」とは、入浴者が通常の入浴姿勢をとったときに入浴者の足が位置する側である。通常、浴槽の足側の部分には、浴槽内に水を供給するための水栓が設けられており、浴室ユニットの側壁のうち浴槽の足側の面には、シャワーが設けられている。そして、一般的には、この足側の面に鏡が取り付けられている。
【００１４】
本実施形態においては、浴槽２の足側部分のリム上には、水栓１３が設けられている。また、浴室ユニット１の側壁であって、浴槽２の足側の面１４のうち、洗い場３側の領域には、入浴者のほぼ全身が映せるような大型の鏡１５が取り付けられている。そして、例えば、鏡１５の向かって右側の側方には多段の収納棚１６が造り付けられており、鏡１５の向かって左側の側方にはシャワー１７が取り付けられており、鏡１５の下方にはカウンター１８が設けられている。また、面１４における鏡１５よりも上方の領域には、例えば２個の人工照明１９が設けられている。
【００１５】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の放光口１１から、透光板１２を通過して、浴室ユニット１の内部に照射される。
【００１６】
このとき、放光口１１は、天井４における浴槽２の足側の端部、すなわち、鏡１５側の端部に配置されているため、入浴者が洗い場３において鏡１５に向かう姿勢をとると、放光口１１から出射した外光Ｌは、入浴者の正面に照射される。これにより、入浴者が洗い場３にて身体を洗う際に、身体の正面が照明され、作業の効率が向上する。
【００１７】
次に、本実施形態の効果について説明する。  
上述の如く、本実施形態においては、外光によって洗い場３にいる入浴者を正面から照明することができるため、入浴者の作業性を向上させることができる。これに対して、特許文献１に記載の技術においては、光ダクトの放光口は浴槽側に設けられているため、光ダクトにより導入された外光の大部分は浴槽に向けて照射されてしまい、洗い場には十分に照射されない。また、仮に外光の一部が洗い場に向けて照射されたとしても、鏡に向かっている入浴者を側方から照明することになるため、入浴者の作業性を十分に向上させることができない。また、本実施形態においては、放光口１１を天井４の端部に形成しているため、排気口５及び点検口７の配置を制約することがない。
【００１８】
次に、本発明の第２の実施形態について説明する。  
図４は、本実施形態に係る浴室ユニットを例示する斜視図であり、  
図５は、この浴室ユニットを例示する上面図である。  
なお、図４及び図５において、図１乃至図３に示す構成要素と同じ構成要素には同じ符号を付し、その詳細な説明を省略する。
【００１９】
図４及び図５に示すように、本実施形態に係る浴室ユニット２１においては、側壁における足側の面１４と天井４との角部に、面１４と天井４との境界線に沿って水平方向に延びる横引ダクト２２が設けられている。横引ダクト２２の形状は四角柱状である。また、横引ダクト２２の内部は中空であり、内面は光反射面とされ、放光口１１が光学的に結合されている。なお、光反射面は例えば鏡面又は白色面であり、例えば、アルミニウム若しくはステンレスなどの金属面、又はこれらの金属面に酸化アルミニウム若しくは樹脂などからなる被覆層が積層された面である。更に、横引ダクト２２の側面には、横引ダクト２２の長手方向に沿って例えば３ヶ所の開口部が相互に離隔して形成されており、副放光口２３となっている。各副放光口２３には、透光板２４が気密的にはめ込まれている。各放光口２３には、例えば引き戸型の遮光シャッタ２５が開閉自在に設けられている。遮光シャッタ２５の裏面は光反射面とされている。本実施形態における上記以外の構成は、前述の第１の実施形態と同様である。
【００２０】
次に、本実施形態に係る浴室ユニットの動作について説明する。  
本実施形態においては、放光口１１から出射した外光が、横引ダクト２２の内部に導入され、横引ダクト２２の内面で繰り返し反射されて、横引ダクト２２における浴槽２側の端部まで到達する。その過程で、外光は、遮光シャッタ２５によって塞がれていない副放光口２３から浴室ユニット１内に放光される。本実施形態における上記以外の動作は、前述の第１の実施形態と同様である。
【００２１】
本実施形態によれば、遮光シャッタ２５を開閉することにより、外光を放光させる副放光口２３を任意に選択することができる。又は、複数の副放光口２３から同時に放光させることもできる。また、本実施形態においては、横引ダクト２２の側面に副放光口２３が形成されているため、副放光口２３から出射した光の一部が天井４に照射される。これにより、天井４を乾燥させ、天井４にカビが発生することを防止できると共に、天井４を介した間接照明を実現することができる。更に、光ダクト１０２は横引ダクト２２のどの位置に結合させてもよいため、光ダクト１０２の結合位置の自由度が向上する。本実施形態における上記以外の効果は、前述の第１の実施形態と同様である。
【００２２】
なお、本実施形態において、副放光口２３は、横引ダクト２２の下面に形成してもよい。これにより、外光の照射を足側の面１４の近傍に集中させることができ、鏡１５に面した入浴者をより効率的に照明することができる。また、浴室ユニット２１の床を照明することができるため、床を乾燥させて、床にカビが発生することを防止できる。
【００２３】
次に、本発明の第３の実施形態について説明する。  
図６は、本実施形態に係る浴室ユニットの横引ダクトを例示する斜視図であり、  
図７は、この横引ダクトを例示する断面図である。  
なお、図６及び図７において、図１乃至図５に示す構成要素と同じ構成要素には同じ符号を付し、その詳細な説明を省略する。
【００２４】
図６及び図７に示すように、本実施形態に係る浴室ユニット３１は、前述の第２の実施形態に係る浴室ユニット２１（図４参照）と比較して、横引ダクト２２（図４参照）の替わりに、横引ダクト３２が設けられている点が異なっている。横引ダクト３２は、天井４と面１４との境界線に沿って水平方向に延びており、その形状は、長手方向に直交する断面の形状が扇形である扇柱状形である。横引ダクト３２の内部は中空であり、内面は光反射面である。横引ダクト３２の円弧面３２ａには、横引ダクト３２の長手方向に沿って例えば３ヶ所の開口部が相互に離隔して形成されており、副放光口３３となっている。各副放光口３３は、円弧面３２ａの幅方向全長、すなわち、扇形の円弧の全長にわたって形成されている。各副放光口３３には、透光板３４が気密的にはめ込まれており、例えば引き戸型の遮光シャッタ（図示せず）が開閉自在に設けられている。本実施形態における上記以外の構成は、前述の第２の実施形態と同様である。
【００２５】
本実施形態によれば、各副放光口３３が幅方向全長にわたって形成されているため、上下の放光角度が大きく、浴室ユニットの天井及び床を同時に照明することができる。また、横引ダクト３２の断面形状が扇形であるため、副放光口３３から上下方向に均一に光を出射することができる。本実施形態における上記以外の動作及び効果は、前述の第２の実施形態と同様である。
【００２６】
次に、本発明の第４の実施形態について説明する。  
図８は、本実施形態に係る浴室ユニットの横引ダクトを例示する斜視図である。  
なお、図８において、図１乃至図７に示す構成要素と同じ構成要素には同じ符号を付し、その詳細な説明を省略する。
【００２７】
図６及び図７に示すように、本実施形態に係る浴室ユニット４１は、前述の第３の実施形態に係る浴室ユニット３１（図６参照）と比較して、横引ダクト３２（図６参照）の替わりに、横引ダクト４２が設けられている点が異なっている。横引ダクト４２の形状は扇柱状形であり、その円弧面４２ａには、横引ダクト４２の長手方向に延びるスリット状の開口部が形成されており、副放光口４３となっている。副放光口４３には、透光板４４が気密的にはめ込まれている。なお、副放光口４３には遮光シャッタは設けられていない。本実施形態における上記以外の構成は、前述の第３の実施形態と同様である。
【００２８】
本実施形態によれば、副放光口４３の長手方向の全長にわたって、すなわち、天井４における浴槽２の足側の端縁の略全長にわたって、放光することができる。これにより、足側の面１４の近傍を均一に照明することができる。また、副放光口４３を円弧面４２ａの上部に設ければ、外光を主として側方に向けて放光することができる。これにより、天井４を照明することができ、天井４を乾燥させてカビの発生を防止すると共に、間接照明を実現することができる。一方、副放光口４３を円弧面４２ａの下部に設ければ、外光を主として下方に向けて放光することができる。これにより、鏡１５に面した入浴者をより効率的に照明することができると共に、浴室ユニット４１の床を乾燥させて、カビの発生を防止することができる。本実施形態における上記以外の動作及び効果は、前述の第３の実施形態と同様である。
【００２９】
なお、前述の第２乃至第４の実施形態においては、横引ダクトの内部に、白熱灯、蛍光灯及びＬＥＤ（Light Emitting Diode：発光ダイオード）などの人工照明を設けてもよい。これにより、外光が不足するときに、人工照明を使用することができる。この結果、人工照明１９（図２参照）を省略することができ、浴室ユニットの外観がすっきりする。なお、この場合において、人工照明は横引ダクトの内部に配置されているため、水がかかることがなく、漏電及び感電に対する過剰な対策が不要である。
【００３０】
以上、本発明の実施形態を参照しつつ、本発明の特徴を説明した。しかし、本発明は、これらの実施形態に限定されるものではなく、前述の各実施形態に係る浴室ユニットを構成するいずれかの要素について、当業者が適宜追加、省略又は設計変更を加えたものであっても、本発明の要旨を備えたものであれば、本発明の範囲に包含される。
【００３１】
例えば、放光口は天井４における浴槽２の足側の端部のうち、浴槽２側の角部に設けられていてもよく、浴槽２と洗い場３との境界部付近に設けられていてもよい。また、横引ダクトの形状は四角柱状形及び扇柱状形に限定されず、任意の形状とすることができる。更に、前述の各実施形態においては、横引ダクトが天井４における浴槽２の足側の端縁の全長にわたって延びている例を示したが、本発明はこれに限定されず、横引ダクトは天井４の足側の端縁の一部に配設されていてもよい。更にまた、副放光口の形状も、矩形及びスリット形状に限定されない。更にまた、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００３２】
【図１】本発明の第１の実施形態に係る浴室ユニットが設けられた建築物を例示する模式的断面図である。
【図２】第１の実施形態に係る浴室ユニットを例示する斜視図である。
【図３】第１の実施形態に係る浴室ユニットを例示する上面図である。
【図４】本発明の第２の実施形態に係る浴室ユニットを例示する斜視図である。
【図５】第２の実施形態に係る浴室ユニットを例示する上面図である。
【図６】本発明の第３の実施形態に係る浴室ユニットの横引ダクトを例示する斜視図である。
【図７】第３の実施形態の横引ダクトを例示する断面図である。
【図８】本発明の第４の実施形態に係る浴室ユニットの横引ダクトを例示する斜視図である。
【符号の説明】
【００３３】
１、２１、３１、４１  浴室ユニット、２  浴槽、３  洗い場、４  天井、５  排気口、６  排気フィン、７  点検口、８  点検口蓋、１１  放光口、１２  透光板、１３  水栓、１４  面、１５  鏡、１６  収納棚、１７  シャワー、１８  カウンター、１９  人工照明、２２、３２、４２  横引ダクト、２３、３３、４３  副放光口、２４、３４、４４  透光板、２５  遮光シャッタ、３２ａ、４２ａ  円弧面、１０１  住宅、１０２  光ダクト、１０３  採光部、１０４  排気管、Ｌ  外光
【図１】
2008082087.tif 000003
【図２】
2008082087.tif 000004
【図３】
2008082087.tif 000005
【図４】
2008082087.tif 000006
【図５】
2008082087.tif 000007
【図６】
2008082087.tif 000008
【図７】
2008082087.tif 000009
【図８】
2008082087.tif 000010